(57)【特許請求の範囲】
【請求項１】
携帯電話と信号を送受信する複数の基地局と、携帯電話ネットワークを介して通信する携帯電話の位置を導出する位置監視ユニットとを含む携帯電話ネットワークを備える車両交通量監視システムであって、
前記位置監視ユニットは、複数の携帯電話に関する識別データおよび位置データを格納する記憶装置と、携帯電話の位置での交通流を判定する交通流解析器とを有し、
前記交通流解析器は、前記携帯電話のサブセットの識別データおよび位置データのみから前記交通流を判定するとともに、前記携帯電話の移動前の位置と移動後の位置の２つの位置の間に複数の経路が存在する場合、前記携帯電話の移動可能な各経路に対して最小２乗差計算を行って、最低の最小２乗差を有する経路を選択し、選択した経路における前記携帯電話の平均速度を算出して、この平均速度に基づく情報を前記携帯電話に提供し、
前記サブセットは、前記携帯電話ネットワークに交通量モニタ要求を示したユーザの携帯電話である車両交通量監視システム。
【請求項２】
携帯電話の前記サブセットは、
前記携帯電話ネットワークに交通量モニタ要求を送信した携帯電話である請求項１に記載のシステム。
【請求項３】
携帯電話の前記サブセット中の携帯電話は、それぞれ、前記サブセット中にない携帯電話よりも頻繁に信号をネットワークに同報通信するように配置される請求項１または２に記載のシステム。
【請求項４】
携帯電話ネットワーク中で車両交通量を監視する方法であって、
携帯電話ネットワークを介して通信する携帯電話の位置を導出するステップと、
複数の携帯電話のそれぞれに関する識別データおよび位置データを格納するステップと、
携帯電話の位置での交通流を判定するステップとを含み、
前記交通流を判定するステップは、
携帯電話のサブセットの識別データおよび位置データのみから前記交通流を判定するとともに、前記携帯電話の移動前の位置と移動後の位置の２つの位置の間に複数の経路が存在する場合、前記携帯電話の移動可能な各経路に対して最小２乗差計算を行って、最低の最小２乗差を有する経路を選択し、選択した経路における前記携帯電話の平均速度を算出して、この平均速度に基づく情報を前記携帯電話に提供するステップを含み、
前記サブセットは、携帯電話ネットワークへの交通量モニタ要求を示したユーザの携帯電話である方法。
【請求項５】
携帯電話の前記サブセットは、携帯電話ネットワークへの交通量モニタ要求を送信した携帯電話である請求項４に記載の方法。
【請求項６】
携帯電話の前記サブセット中の携帯電話は、それぞれ、前記サブセット中にない携帯電話よりも頻繁に信号をネットワークに同報通信するように配置される請求項４または５に記載の方法。
【発明の詳細な説明】
【０００１】
【発明の属する技術分野】
本発明は、交通流を測定するためのシステムおよび方法に関し、詳細には既存の携帯電話およびネットワークの車両交通流への使用に関する。
【０００２】
【従来の技術】
携帯電話の使用は、先進国の人口のかなりの比率が常用のユーザであるほどに、近年急速に増加している。これにより、通常の通信サービスに加えて、ユーザにサービスを提供する機会が提示される。ＷＡＰなどのプロトコルにより、グラフィック・コンテントおよびテキスト・コンテントの送達を、インターネットにリンクすることが可能となる。それによってサービスおよび情報を提供することができる。より新しい世代のハンドヘルド・ポータブル（ＨＨＰ）携帯電話に関するサービスは、とりわけロケーション・ベース・サービス（ＬＢＳ）である。これらは、携帯電話、したがってユーザのロケーションに関する情報を何らかの方法で使用するサービスである。
【０００３】
米国連邦通信委員会は、２００１年１０月１日までに、少なくとも２／３の回数で、ネットワーク・オペレータが呼出しのロケーションをその源の４００フィート（１２５ｍ）内に識別できなければならないことを決定した。この短いタイムスケールに関する規制要件により、解法がネットワーク・ベースとなる（すなわち、ロケーション・ピンポインティング・インテリジェンス（ｌｏｃａｔｉｏｎ−ｐｉｎｐｏｉｎｔｉｎｇ  ｉｎｔｅｌｌｉｇｅｎｃｅ）がハンドセット内にない）ことが効果的に定められる。加入者が自分のハンドセットを更新することは、ネットワーク・ボランティアが支払うのでない限り、評判の良くない提案である可能性が高いと主張すると、もちろんネットワーク・ボランティアは、そのネットワークを更新することよりもそうすることが安価である場合にだけそれを行うことになる。ネットワーク・ベースの解法は、オペレータが配置するには高価ではあるが、それでもユーザ・ベース全体を更新するよりも安価である。この背景が与えられれば、米国でＬＳＢが、少なくとも初期には緊急９１１メッセージと共に推進されることになり、ネットワーク・ベースとなることがもっともであると思われる。
【０００４】
米国以外の市場での焦点は、恐らくいくぶん異なっている。ＥＵではＬＳＢに関する規制要件があるものの、時間尺度はいくぶん緩和されたものとなっている。サービスは、２００８年までに実施しなければならない。実際には、規制ではなく商業的圧力の結果として、ヨーロッパではそれよりもずっと前にＬＢＳを有することであろう。
【０００５】
ロケーションに基づいて顧客に提供することができる多くのサービスがある。これらのサービスのうちの一部は、次世代モバイル通信のための「独自のセールス・ポイント」となることを意図するものであり、したがってその導入は、次のようなネットワーク・オペレータにとって商業的にかなり重要である。
・地図
・緊急時
・広告
・職業別電話番号
・地域情報
・盗難された財産の保護／追跡
・全保有車両の追跡
・テレマティックス（Ｔｅｌｅｍａｔｉｃｓ）
・交通情報（トラフィックマスタ（ＴｒａｆｆｉｃＭａｓｔｅｒ）毎に）
・ロケーション・ベースの課金
・沿海ナビゲーション
・天気
・リアル・タイム公共輸送情報（注：ユーザと現在情報のどちらも移動する）
・友人／従業員発見器
【０００６】
必要なロケーションの正確さは、サービス毎に変動し、必要な正確さは、ロケーション検出を実装すべき方式にも影響を与える。
【０００７】
車両交通量を監視するための１つのシステムが、ＵＳ−Ａ−５４６５２８９に開示されている。このシステムは、追加の無線受信機を用いて、セル境界間のハンドオフ（ｈａｎｄｏｆｆ）を検出することによって携帯電話のおおよそのロケーションを検出する。ハンドオフとは、携帯電話が１つのセルから別のセルに移動するときに、隣接するセルの基地局と通信すべきであるということを示すために、携帯電話と基地送信機との間で送信される信号である。この追加の無線受信機は、セル・ハンドオフを検出し、ハンドオフの記録を格納し、かつジオロケーション（ｇｅｏｌｏｃａｔｉｏｎ）データを検出し、記録するための機能を必要とする。このシステムは第１世代システム以外には適用可能ではないが、ネットワークでは動作しない。このシステムは、スタンド・アロン・システムである。
【０００８】
車両数データおよび車両流速データは、セル・ツー・セル・ハンドオフ（ｃｅｌｌ  ｔｏ  ｃｅｌｌ  ｈａｎｄｏｆｆ）およびジオロケーション・データから生成される。セル内外へのハンドオフは、一般に車道上の同じ位置で行われる。ハンドオフは、車道上の車両数を推定するために単位時間毎に累積することができる。ハンドオフ間の時間と、移動した距離を知ることにより、流速の判定を行うことができる。経時的な車両のジオロケーションも流速を生み出すことができる。ジオロケーションにより、ハンドオフ・データを特定の車道に局在させることも可能となる。周期的リポートが、監視の下でその車道に対して生成される。
【０００９】
’２８９に開示されるシステムは、有用なサービスを提供するが、本出願人らは欠点があることを理解した。このシステムは、セルラ・ネットワーク中のセルのサイズのみに比例して正確であり、それは数百メートル〜数十キロメートルのいずれにもすることができる。加えて、既存のシステムは、ロケーション・ベースのサービスを提供するように適合されておらず、したがって一層の欠点を有する。
【００１０】
【発明が解決しようとする課題】
本出願人らは、携帯電話ネットワークで交通量監視を達成することができるが、修正が必要なことを理解した。本出願人らは、そのようなサービスを実行可能にするために、そのような修正を最小に保つべきであることをさらに理解した。
【００１１】
【課題を解決するための手段】
したがって、携帯電話と信号を送受信するための複数の基地局と、携帯電話ネットワークを介して通信する携帯電話の位置を導出するための位置監視ユニットとを含む携帯電話ネットワークを備え、位置監視ユニットが、複数の携帯電話に関する識別データおよび位置データを格納するための記憶装置と、携帯電話の位置での交通流を判定するための交通流解析器とを有し、記憶装置および交通流解析器が、交通流が携帯電話のサブセットの識別データおよび位置データのみから支配的に判定されるように構成され、サブセットが、携帯電話ネットワークに交通量モニタ要求を送信した携帯電話である車両交通量監視システムが提供される。
【００１２】
交通量監視のために解析されるデータが、移動中の、したがって交通情報を要求したユーザが有する携帯電話から支配的に導出されるという利点を、本発明は提供する。これにより、路上走行車で移動していない携帯電話からのサンプル中に含まれるデータからのエラーの可能性が減少する。様々な重みづけ因子を使用して、車両中にいることが知られている（交通情報を要求している）ＨＨＰおよび他のＨＨＰの因子として交通流を評価することができる。
【００１３】
本発明は、交通量モニタ要求を初期化することにより、ユーザが交通量情報を受信するように特有の動作を選ぶことができる利点も提供し、ユーザの携帯電話を再構成するために、必要に応じてこれを用いることができる。具体的には、携帯電話中のサブセット中の携帯電話は、それぞれ、サブセット中にない携帯電話よりも頻繁にネットワークに信号を同報通信するように配置される。それにより、移動中であり、かつ交通量システムに「参加している」携帯電話から頻繁な位置更新を判定することができることが、システムによって保証される。代替方法として、これは、ネットワークのユーザ・データベースでの、そのユーザのアカウント上のフラグをオンにすることによって達成することができる。これにより、システムが未修正のハンドセットで動作することが可能となる。「ＳＩＭツールキット」の下でハンドセット駆動「参加」オプションを実施することができ、やはりＳＩＭツールキットは、大部分のハンドセットが既にサポートしているので、ハンドセットの修正は必要ではないことにも留意されたい。
【００１４】
本発明は、周期的更新信号を含み、交通量更新信号機能を提供するように配置された、携帯電話ネットワークとの電話通信を提供するための無線ユニット、プロセッサ、およびメモリを備え、交通量更新信号機能が、携帯電話ユーザからの交通情報を求める要求を受信するための入力と、無線ユニットに通常よりも頻繁に更新信号を同報通信させるための出力を含む、車両交通量監視システムと共に使用するために適合され、携帯電話ネットワークに関連する携帯電話にもある。
【００１５】
したがって、この特徴を有する携帯電話は、交通量監視システムと協働し、正確な交通流データを導出することを保証する。交通情報を要求するユーザは、自動的に交通流統計中のサンプルとなる。
【００１６】
本発明のこれらおよび別の特徴は、参照の対象となる請求の範囲で定義される。
【００１７】
次いで本発明の実施形態を例示のみによって、図を参照して説明する。
【００１８】
【発明の実施の形態】
車両交通量監視システムを図１に示す。個々のハンド・ヘルド・ポータブル（ＨＨＰ）携帯電話１は、複数の基地局２を介して携帯電話ネットワーク３と通信する。ネットワーク３および基地局２は、どんなタイプの携帯電話技術プロトコル用および周波数用でもよい。ＧＳＭ１９００ＭＨｚ、９００ＭＨｚ、または１８００ＭＨｚ、あるいはＵＭＴＳなどの新しいサービスなどである。これらおよび他は、本発明の範囲内にある。この実施形態は、携帯電話の位置を解析し、その結果交通情報を導出する位置モニタ４も含む。位置モニタによって提供される機能を以下で詳細に説明する。
【００１９】
ネットワーク３と通信する各携帯電話１のジオロケーションは、ネットワーク３自体、位置モニタ４、またはこの２つの組み合わせのいずれかによって導出される。携帯電話ロケーションを判定する適切な方法は、当業者に周知であり、携帯電話から到着する信号の角度を導出するために各基地局にフェーズド・アレイ・アンテナを含む。この角度は、他の基地局で導出された角度と相互参照され、位置が得られる。代替方法は、複数の基地局で携帯電話からの信号の到着時間を測定し、相対距離、したがって位置を導出することである。これらの２つの代替方法は、変更があるとしても、ロケーションを測定するための携帯電話への変更はほとんど必要とせず、既存のネットワークに一部の変更が必要となることになる。位置データを導出する他の多くの方法があり、その全ては提案するシステムで動作する。システムに実装する必要のあるソフトウェアは、ネットワークを迂回して配布することができる。これにより、基地局コントローラの外に出ることになるデータは、電話がこの時にここからここへと移動したというデータだけであり、特定のユーザがそのようにしたというデータではないことになるので、どんなプライバシーの恐れも軽減されることになる。
【００２０】
携帯電話の主な機能部品の概略図を図２に示す。ＣＰＵ１０は、ＲＯＭ２０内のソフトウェアの制御の下で、ストアＲＡＭ１６を用いてユニットの処理機能を提供する。表示装置ＬＣＤ１２および入力装置キーパッド１４が、ここで提供される。無線ユニット１８は、ＲＦ送受信機能を提供し、発話データをＲＦ信号に、ＲＦ信号を発話データに変換する。ここまでのところは、これらの機能構成要素は従来型であり、当業者に周知である。
【００２１】
プロセッサ１０、無線ユニット１８、およびメモリＲＡＭ１６／ＲＯＭ２０は、図３に示す機能を提供するように構成される。従来のＨＨＰ携帯電話では、無線ユニットは、一般に３０分毎に、またはセル間を移動するときに、ロケーション更新を周期的に同報通信する。しかしこれは、交通監視の目的のためには不十分であり、これを図３の交通量更新信号機能によって対処する。
【００２２】
交通量更新信号機能により、ユーザが交通情報を要求するときに、このことがネットワークに送信され、ユーザのＨＨＰが通常よりも頻繁に更新メッセージを送信するように再構成されることが保証される。第１ステップ３０は、交通情報オプションを選択したときである。その結果この情報を要求する信号が、ネットワークに送信され、同時に前述のジオロケーション方法のいずれかを用いて、ステップ３１でＨＨＰの位置に関する更新が提供される。ユーザがシステムに参加したことがステップ３２として示されている。ユーザがシステムから脱退することを選んだ場合、このことはステップ３３で行われ、交通量更新機能は３４で終了する。次いで携帯電話は、通常状態に戻り、通常の方式でネットワークに同報通信する。
【００２３】
交通量モニタ・モードの間、信号遅延ステップ３５により、更新信号の送信の間の時間が減少し、その結果ＨＨＰは、より頻繁に更新信号をネットワークに送信する。本発明の範囲内の代替方法は、ハンドセットを変更することではなく、ネットワークがハンドセットをどのようにみなすかを変更することである。ロケーション更新の間のタイミングは、ネットワークによって完全に駆動される可能性が高い。すなわち、ネットワークは、「私はここ」と話しかけられるのを待つのではなく、「あなたはどこ？」と尋ねることになる。これにより、ネットワークおよび交通量システムがより正確にユーザの位置および速度をモニタすることが可能となり、ユーザが車両で移動している可能性が高いということを知ることも可能となる。これにより、次いで図４〜７への参照と共に説明する位置データの解析が助けられる。
【００２４】
図４は、本発明の実施形態による交通量監視に関する全プロセス（チャート１）を示す。第１ステップ４０は、ハンドセットが（ハンドセット・オプションを受信した、図３）交通量モニタ・システムにサインオンしたときである。Ｇｅｔｎｅｗｌｏｃａｔｉｏｎステップ４２では、新しく参加したハンドセットのロケーションが取り出される。このロケーションは、ａｄｄｎｅｗｌｏｃａｔｉｏｎステップ４４で、ロケーション／時間データベース４５中に格納され、クロック４７によって決定されるどの「古い」データも削除される。所与の時間でのロケーションの格納により、最も可能性の高い経路を、以下で説明する図５のチャート１ａ中にさらに示すｃａｌｃｕｌａｔｅｍｏｓｔｌｉｋｅｌｙ経路ステップ４６で計算することが可能となる。次いで平均速度が、ｃａｌｃｕｌａｔｅａｖｅｒａｇｅｓｐｅｅｄステップ４８で計算される。速度およびロケーションの計算は、どちらも、格納されるロード・アトラス５０と照合される。速度データは、信頼度（ｃｏｎｆｉｄｅｎｃｅ  ｒａｔｉｎｇ）に割り振られ、ｓｐｐｅｄｄａｔａｓｔｏｒｅステップ５２で、図６のチャート２にさらに示す速度データベース５４中に格納される。
【００２５】
ここまでのステップは、交通量状態の導出を可能にするためのものである。次のステップでは、ハンドセットは、図７のチャート３にさらに示すｎｏｔｉｆｙｈａｎｄｓｅｔステップ５６で、局所交通量状態の通知を受ける。最後に、ハンドセットの速度に反比例する可変遅延が、ハンドセットに関する新しいロケーション・データを取り出し、プロセスをリポートする前の待機ステップ５８で含められる。
【００２６】
所与のハンドセットに関する最も可能性の高い経路の計算を図５のチャート１ａに示す。所与のハンドセットに関するロケーションおよび時間データのリストが、ｇｅｔｃｕｒｒｅｎｔｌｏｃａｔｉｏｎステップ６０でロケーション／時間データベース４５から取り出される。次いで、可能な経路がｃａｌｃｕｌａｔｅｒｏｕｔｅステップ６２でロード・アトラス５０から取り出される。可能な経路が１つだけある場合、信頼度はステップ６４で高（１００）に設定される。複数の経路がある場合、最小２乗差計算が最小２乗ステップ６６で実行される。信頼値は、ステップ６８で最小２乗計算の関数として設定される。信頼値は、ｃａｌｃｕｌａｔｅｄｉｆｆｅｒｅｎｃｅステップ７０で、平均道路速度データベースを参照して、同じ経路上の他のハンドセットと比較した、ハンドセットの平均速度を考慮に入れるように調節される。この結果が最も可能性の高い経路であり、信頼度がステップ４６でチャート１に提示される。
【００２７】
経路データの統計的解析が、交通情報を提供することを可能とするために、各ハンドセットに関する経路および信頼度、ならびにそのハンドセットの計算される速度が、図６のチャート２に示す別の解析のために、ロースピード（ｒａｗｓｐｅｅｄ）および信頼度データベース５４に提供される。ロースピードおよび信頼度データベースは、所与の位置、したがって道路セグメントの各携帯電話に関する時間単位の速度および信頼データのエントリを含む。このデータを処理するために、まず所与の道路セグメントに関するデータが、ｇｅｔｄａｔａステップ８０で取り出される。データが現在の交通状態に関連することを保証するために、ある分数よりも古いデータは、ｄｅｌｅｔｅｄａｔａステップ８２で削除される。データの正確さをさらに向上させるために、エントリの部分がｄｉｓｒｅｇａｒｄｅｎｔｒｉｅｓステップ８４で無視され、所与のエントリの数または因子をより高い信頼度のままにされる。正確さを向上させるための別のステップが、ｄｉｓｒｅｇａｒｄｌｏｗｅｓｔｐｅｒｃｅｔステップ８６で行われる。このステップ８６では、所与の比率の、速度単位の最低のエントリが無視される。このことにより、車内にいないユーザは除かれることになる。これは、具体的には参加方法がハンドセット設定ではなくアカウント・オプションによる場合に関連する。それによって残りのエントリは、所与の道路セグメントに関する速度の中央値に近い可能性がより高く、より最近の、より高い信頼度エントリと関連する。それによって平均道路速度ｕｐｄａｔｅａｖｅｒａｇｅｓｐｅｅｄステップ９０で計算され、平均道路速度データベース９１に提供される。平均道路速度データベース９１は、図５（チャート１ａ）の信頼度を計算するためのデータを提供し、ユーザに情報を提供するために用いられる。最後に、次の道路セグメントが、ステップ９２で、再び実行される計算の際に取り出される。
【００２８】
導出されたデータは、図７（チャート３）に示すように様々な方式でユーザに提供することができる。情報を要求するユーザがＨＨＰモバイルからそれを行う場合、その要求は、まずＨＨＰを前述のように再構成するために用いられ、通常より頻繁な更新が送信され、前述のように導出する交通量状態でそのＨＨＰのロケーション情報が使用される。
【００２９】
ＨＨＰの位置および最も可能性の高い現在の道路が、前述と同様に入力ステップ１００で導出される。次いで平均道路速度データベース９１が、ｑｕｅｒｙｄａｔａｂａｓｅステップ１０２で照会され、ハンドセットの機能がステップ１０３で受信される信号のタイプを参照して判定される。ハンドセットがグラフィックスを扱うことができる場合、更新されたマップがステップ１０４で送信され、そうでない場合は、ＳＭＳステップ１０６で遅延がある場合にＳＭＳ通知が送信され、またはハンドセットが自動応答機能を有する場合に遅延を述べる短いボイス・メッセージが送信される。
【００３０】
次いでプロセスは、ユーザがシステムに依然として「参加」している限り、交通量状態の監視を続行するように、ネットワーク／位置モニタで続行する。
【００３１】
要求側がネットワーク、例えばインターネット上の携帯電話ユーザでない場合、ｇｅｔｕｓｅｒｒｅｑｕｅｓｔステップ１１０がデータを取り出し、それをステップ１１２で、ステップ１１４で要求される方式で供給する。
【００３２】
システムを別々のネットワークおよび位置モニタとして説明したが、論理的分割があること、および位置モニタ機能は、１つのロケーションまたは分散したロケーションのいずれのネットワーク自体によっても実行することができることを理解されたい。
【図面の簡単な説明】
【図１】本発明を実施する交通量監視システムを示す図である。
【図２】携帯電話の機能構成要素を示す図である。
【図３】本発明に従って携帯電話を操作する際の主な機能ステップを示す図である。
【図４】本発明を実施する位置監視ユニットの主な機能の流れ図である。
【図５】図４の経路計算をより詳細に示した流れ図である。
【図６】図５の道路速度計算をより詳細に示した流れ図である。
【図７】図４の遅延通知をより詳細に示した流れ図である。
【符号の説明】
１  携帯電話
２  基地局
３  携帯電話ネットワーク
４  位置モニタ
１０  ＣＰＵ
１２  ＬＣＤ
１４  キーパッド
１６  ＲＡＭ
１８  無線ユニット
２０  ＲＯＭ
【図１】
0003959997.tif 000002
【図２】
0003959997.tif 000003
【図３】
0003959997.tif 000004
【図４】
0003959997.tif 000005
【図５】
0003959997.tif 000006
【図６】
0003959997.tif 000007
【図７】
0003959997.tif 000008